(57)【要約】      （修正有）【課題】経管栄養法に用いられる栄養チューブや輸液・輸血に用いられる輸液・輸血チューブまたは注入器と患者に挿入されたチューブまたはカテーテルとの嵌合接続部を簡易に且つ確実に固定し、液漏れなどを防ぐための、チューブ接続部固定具を提供する。【解決手段】硬質樹脂からなる筒からなる外枠２、４と、硬質樹脂からなる板からなる仕切３とを具備し、外枠２、４を構成する筒には、筒壁上縁の２箇所のそれぞれに、チューブ接続部を嵌め込むことができる大きさの切り欠き５〜７が形成されており、仕切３を構成する板は、その両側端のそれぞれが外枠２、４を構成する筒の内壁に、外枠２、４を構成する筒に形成された２つの切り欠き５、７が仕切３を挟んで一つずつとなるように、融着しており、且つ仕切３を構成する板の上縁に、チューブ接続部を嵌め込むことができる大きさの切り欠き６が形成されている。【選択図】図１
0003219493.tif 000002
【実用新案登録請求の範囲】
【請求項１】
硬質樹脂からなる筒からなる外枠と、硬質樹脂からなる板からなる仕切とを具備し、
外枠を構成する筒には、筒壁上縁の２箇所のそれぞれに、チューブ接続部を嵌め込むことができる大きさの切り欠きが形成されており、
仕切を構成する板は、その両側端のそれぞれが外枠を構成する筒の内壁に、外枠を構成する筒に形成された２つの切り欠きが仕切を挟んで一つずつとなるように、融着しており、且つ
仕切を構成する板の上縁に、チューブ接続部を嵌め込むことができる大きさの切り欠きが形成されている、
チューブ接続部固定具。
【請求項２】
硬質樹脂からなる優弧状の板からなる主外枠と、硬質樹脂からなる弧状の板からなる副外枠と、硬質樹脂からなる弧状の板からなる仕切とを具備し、
仕切を構成する板は、その両側端のそれぞれが主外枠を構成する板の内壁に融着しており、
副外枠を構成する板は、その両側端のそれぞれが主外枠を構成する板の両側端のそれぞれに融着しており、
主外枠を構成する板の上縁に、チューブ接続部を嵌め込むことができる大きさの切り欠きが形成されており、
副外枠を構成する板の上縁に、チューブ接続部を嵌め込むことができる大きさの切り欠きが形成されており、且つ
仕切を構成する板の上縁に、チューブ接続部を嵌め込むことができる大きさの切り欠きが形成されている、
チューブ接続部固定具。
【請求項３】
主外枠を構成する板の上縁に形成された切り欠きは、切り欠きの入口側が狭く、切り欠きの奥側が広い形状を成している、請求項２に記載のチューブ接続部固定具。
【請求項４】
主外枠、副外枠、および仕切を構成する板は、弧の向きがいずれも同じである、請求項２または３に記載のチューブ接続部固定具。
【請求項５】
前記３つの切り欠きの中心が、概ね直線状に並ぶように形成されている、請求項１〜４のいずれかひとつに記載のチューブ接続部固定具。
【請求項６】
硬質樹脂が生分解性樹脂である、請求項１〜５のいずれかひとつに記載のチューブ接続部固定具。
【考案の詳細な説明】
【技術分野】
【０００１】
本考案は、チューブ接続部固定具に関する。より詳細に、本考案は、経管栄養法に用いられる栄養チューブや輸液・輸血に用いられる輸液・輸血チューブまたは注入器と患者に挿入されたチューブまたはカテーテルとの嵌合接続部を簡易に且つ確実に固定し、液漏れなどを防ぐための、チューブ接続部固定具に関する。
【背景技術】
【０００２】
輸液チューブなどの接続部を固定して、接続が外れるのを防止するための医療器具が提案されている。
【０００３】
例えば、特許文献１は、輸液チューブの混注部に接続された側注ルートの穿刺針が抜けるのを防止するための用具であって、可撓性樹脂製の板状または棒状の柄と、該柄の両端に同一方向に面して直角に設けられた、輸液チューブのコネクタ部分を把持固定する把持手段からなる針抜け防止具を開示している。
【０００４】
特許文献２は、高分子物質製シートから成形され、板状中間部３の一端に注射針用の針基締付部を、他端に注入管用の穿刺締付部を設け、前記それぞれの締付部は、スリットを設けた差込基部と、両側辺を鋸歯状突起とし前記スリットに差込み係止する差込係止片からなることを特徴とする針抜け防止具を開示している。
【０００５】
特許文献３は、硬質弾性材料から成形され、基材の両端と中間に、それぞれ上方に差込開口部を設けた端部緩着用突起および中間緩着用突起を設けたことを特徴とする針抜け防止具を開示している。
【０００６】
特許文献４は、直線上に３つの円形の中心が並び、円形と円形はみな直線で結ばれ１つの穴を成しているシートを開示している。
特許文献５は、輸液チューブ本管の混注部に穿刺された側注チューブの穿刺針の抜けを防止するための針抜け防止具において、捍状体と、捍状体を側注チューブに沿わせて固定するために側注チューブに巻き付け可能な帯状体とからなり、捍状体は、棒形状の基部およびその基部の一端と連接し混注部に係止可能な鈎からなり、該基部は帯状体を該基部長軸方向の所望の位置に、帯状体の横幅方向を捍状体の基部の長軸方向に概略沿って保持する帯状体保持手段を備えており、帯状体は側注チューブの外周長よりも長い帯であって、帯状体の任意の２箇所を繋合して環形状になし得るものであり、帯状体は捍状体の帯状体保持手段により捍状体基部に保持されうることを特徴とする針抜け防止具を開示している。
【先行技術文献】
【特許文献】
【０００７】
【特許文献１】実開平１−１３３９３６号公報
【特許文献２】実開平７−３４８４３号公報
【特許文献３】実開平３−７５７５３号公報
【特許文献４】特開２０１８−３３９１１号公報
【特許文献５】特開平８−１１７３４４号公報
【考案の概要】
【考案が解決しようとする課題】
【０００８】
口から食べ物、水分・薬などを摂取できない場合に、鼻あるいは腹壁から胃や十二指腸・空腸などに管を通して栄養液（流動食など）を注入し、栄養を補給することがある。半固形の栄養液を注入器に入れ、注入器の先端をチューブやカテーテルに嵌合接続させ、患者の胃や腸へ栄養液を圧入することがある。この際に内圧上昇のために嵌合接続させた部分から栄養液が漏れることがある。半固形の栄養液は流動性が低いので注入器による圧入には結構な力が要るので多数の患者を抱える術者の負担は大きい。また、イリゲータにつながった栄養チューブと患者の鼻、胃瘻、腸瘻などを経て消化管に挿入されたチューブやカテーテルとの嵌合接続部が抜け外れて栄養液などが漏れ出すことがある。
本考案の課題は、経管栄養法に用いられる栄養チューブや輸液・輸血に用いられる輸液・輸血チューブまたは注入器と患者に挿入されたチューブまたはカテーテルとの嵌合接続部を簡易に且つ確実に固定し、液漏れなどを防ぐための、チューブ接続部固定具を提供することである。
【課題を解決するための手段】
【０００９】
上記課題を解決すべく鋭意検討した結果、下記の形態を包含する本考案を完成するに至った。
【００１０】
〔１〕  硬質樹脂からなる筒からなる外枠と、硬質樹脂からなる板からなる仕切とを具備し、
外枠を構成する筒には、筒壁上縁の２箇所のそれぞれに、チューブ接続部を嵌め込むことができる大きさの切り欠きが形成されており、
仕切を構成する板は、その両側端のそれぞれが外枠を構成する筒の内壁に、外枠を構成する筒に形成された２つの切り欠きが仕切を挟んで一つずつとなるように、融着しており、且つ
仕切を構成する板の上縁に、チューブ接続部を嵌め込むことができる大きさの切り欠きが形成されている、
チューブ接続部固定具。
【００１１】
〔２〕  硬質樹脂からなる優弧状の板からなる主外枠と、硬質樹脂からなる弧状の板からなる副外枠と、硬質樹脂からなる弧状の板からなる仕切とを具備し、
仕切を構成する板は、その両側端のそれぞれが主外枠を構成する板の内壁に融着しており、
副外枠を構成する板は、その両側端のそれぞれが主外枠を構成する板の両側端のそれぞれに融着しており、
主外枠を構成する板の上縁に、チューブ接続部を嵌め込むことができる大きさの切り欠きが形成されており、
副外枠を構成する板の上縁に、チューブ接続部を嵌め込むことができる大きさの切り欠きが形成されており、且つ
仕切を構成する板の上縁に、チューブ接続部を嵌め込むことができる大きさの切り欠きが形成されている、
チューブ接続部固定具。
【００１２】
〔３〕  主外枠を構成する板の上縁に形成された切り欠きは、切り欠きの入口側が狭く、切り欠きの奥側が広い形状を成している、〔２〕に記載のチューブ接続部固定具。
〔４〕  主外枠、副外枠、および仕切を構成する板は、弧の向きがいずれも同じである、〔２〕または〔３〕に記載のチューブ接続部固定具。
〔５〕  前記３つの切り欠きの中心が、概ね直線状に並ぶように形成されている、〔１〕〜〔４〕のいずれかひとつに記載のチューブ接続部固定具。
【考案の効果】
【００１３】
本考案のチューブ接続部固定具は、経管栄養法に用いられる栄養チューブや輸液・輸血に用いられる輸液・輸血チューブまたは注入器と、患者に挿入されたチューブまたはカテーテルとの接続部を、簡易に且つ確実に固定し、液漏れなどを防ぐことができる。
本考案の好ましい形態のチューブ接続部固定具は、術者の手になじむ形および大きさをしているので、注入器を嵌合接続し液体を圧入する際などの、ホールド性に優れ、術者の負担を軽減できる。
【図面の簡単な説明】
【００１４】
【図１】本考案のチューブ接続部固定具の一形態を示す図である。
【図２】チューブ接続部をはめ込んでいる状態を示す図である。
【図３】術者が手に持ち注入器で液体を注入している状態を示す図である。
【考案を実施するための形態】
【００１５】
本考案のチューブ接続部固定具1は、外枠2,4と仕切3とを具備する。
【００１６】
本考案のチューブ接続部固定具の一形態は、外枠が硬質樹脂からなる筒からなり、仕切が硬質樹脂からなる板からなる。外枠2,4は、その大きさによって特に限定されないが、図３に示すように、大きさは手のひら21に載り、把持できる程度である。筒は、楕円筒、円筒などまたはそれらが若干変形した筒などであることができる。
【００１７】
硬質樹脂としては、熱可塑性樹脂、好ましくは、ポリ塩化ビニル；ポリカーボネート；ポリエチレンテレフタレートなどのポリエステル樹脂；ポリメチルメタクリレートなどのアクリル樹脂；ポリプロピレン樹ポリエチレンなどのポリオレフィン樹脂；ポリ乳酸、ポリカプロラクトン、ポリヒドロキシアルカノエート、ポリグリコール酸、変性ポリビニルアルコール、カゼインなどの生分解性樹脂などを挙げることができる。これらのうち、生分解性樹脂が好ましく、生分解性を有するポリ乳酸樹脂がより好ましい。
【００１８】
外枠を構成する筒には、筒壁上縁の２箇所のそれぞれに、チューブ接続部を嵌め込むことができる大きさの切り欠き5,7が形成されている。仕切を構成する板の上縁にも、チューブ接続部を嵌め込むことができる大きさの切り欠き6が形成されている。切り欠きとしては、Ｕ字形状切り欠き、鍵穴形状切り欠き、三角形状切り欠きなどを挙げることができる。３カ所に形成される切り欠きのそれぞれの形状は同じであっても、異なってもよい。切り欠きの入口側が狭く、切り欠きの奥側が広い形状を成していると切り欠きにはめ込んだチューブ接続部が固定具から外れにくくなる。
【００１９】
仕切3を構成する板は、その両側端のそれぞれが外枠2,4を構成する筒の内壁に、外枠を構成する筒に形成された２つの切り欠き5,7が仕切3を挟んで一つずつとなるように、融着している。図１に示す３つの切り欠き5,6,7は、概ね直線状に並ぶように形成されているが、これに限定されず、例えば、くの字状、Ｌ字状などの他の態様にて配置されていてもよい。
【００２０】
本考案のチューブ接続部固定具の対象となる接続部は、経管栄養法に用いられる栄養チューブと患者に挿入されるチューブまたはカテーテルとの接続部、輸液・輸血に用いられる輸液・輸血チューブと患者に挿入されるチューブまたはカテーテルとの接続部、注入器とチューブまたはカテーテルとの接続部、輸液ポンプとチューブまたはカテーテルとの接続部などである。注入器としては、ピストンとシリンジとからなるもの、可撓性のボトルと注入口を有する蓋とからなるものなどを挙げることができる。
【００２１】
チューブ接続部固定具の別の一形態は、外枠が主外枠2と副外枠4とからなるものである。
主外枠2は、硬質樹脂からなる優弧状の板からなり、副外枠4は、硬質樹脂からなる弧状の板からなり、仕切3は、硬質樹脂からなる弧状の板からなる。
【００２２】
仕切3を構成する板は、その両側端のそれぞれが主外枠2を構成する板の内壁に融着している。副外枠4を構成する板は、その両側端のそれぞれが主外枠2を構成する板の両側端のそれぞれに融着している。
【００２３】
主外枠を構成する板の上縁に、チューブ接続部を嵌め込むことができる大きさの切り欠き5が形成されている。副外枠を構成する板の上縁に、チューブ接続部を嵌め込むことができる大きさの切り欠き7が形成されている。仕切を構成する板の上縁に、チューブ接続部を嵌め込むことができる大きさの切り欠き6が形成されている。切り欠きは、切り欠きの入口側が狭く、切り欠きの奥側が広い形状を成していることが好ましい。
【００２４】
主外枠、副外枠、および仕切を構成する板は、弧の向きがいずれも同じであることが好ましい。弧の向きによって液体の流れる方向を術者に知らせることができる。
【００２５】
本発明のチューブ接続部固定具においては、図２に示すように、一のチューブ11を外枠に形成された一方の切り欠きまたは主外枠2の優弧状の板に形成された切り欠き5にはめ込むことができ、もう一方のチューブまたは接続具12を外枠に形成されたもう一方の切り欠きまたは副外枠4の弧状の板に形成された切り欠き7にはめ込むことができる、両チューブが重なる部分または両チューブを繋ぐ接続具を仕切3に形成された切り欠き6にはめ込むことができる。図２に示すチューブ接続部固定具は、切り欠き6にて挟持された側注部付き接続具12'の後端に接続具12が嵌合された状態で接続具12が切り欠き7によって挟持されているので、接続具12'と接続具12との嵌合部が固定され抜けにくくなっている。
【００２６】
図２に示すチューブ接続部固定具は、注入器14の先端部とチューブ22の後端の継手13に嵌め込まれた状態で、継手13が切り欠き6と切り欠き7によって挟持されており、注入器14の先端部が継手13から抜けにくくなっている。さらに、図３に示す本発明のチューブ接続部固定具は、術者の手になじむ形および大きさをしているので、注入器14を嵌合接続して、液体を圧入する際などの、ホールド性に優れ、術者の負担を軽減できる。
【符号の説明】
【００２７】
1：チューブ接続部固定具
2：主外枠
3：仕切
4：副外枠
5,6,7：切り欠き
【図１】
0003219493.tif 000003
【図２】
0003219493.tif 000004
【図３】
0003219493.tif 000005